(57)【特許請求の範囲】
【請求項１】
加熱により発生した蒸気による内圧を逃がすための蒸気抜き機能を備えた電子レンジ用包装袋を、収納したまま電子レンジ加熱する外装箱と、前記電子レンジ用包装袋とからなる包装体であって、
前記外装箱は、加熱するとき下になる背面を、上になる正面より短くして、前記背面と前記正面とをつなぐ天面を傾斜させており、
前記電子レンジ用包装袋は、被加熱物が充填され、上部に蒸気抜き機能部が設けられ、該蒸気抜き機能部が、傾斜させた前記天面に位置するように収納されていることを特徴とする包装体。
【請求項２】
前記外装箱の、前記正面と前記天面とがなす角度が１５°以上、４５°以下であることを特徴とする請求項１記載の包装体。
【発明の詳細な説明】
【技術分野】
【０００１】
本発明は、加熱により発生した蒸気による内圧を逃がすための蒸気抜き機能を備えた電子レンジ用包装袋を収納したまま電子レンジで加熱する外装箱とその包装体に関する。
【背景技術】
【０００２】
調理済みレトルトカレーのように、電子レンジで加熱するだけで賞味することができる食品類は簡単に食事をとる事ができる為、近年、独身者のみならず、老齢者や、料理に時間をかけられない人々にとって、簡便に食事を取ることができる手段になっている。
【０００３】
このような食品は、カレー、シチュー、酢豚、ミートボール煮、八宝菜など、内部に水分が入っていて、電子レンジで加熱すると、この水が電子レンジによる高周波でエネルギー準位をあげる励起現象を起こし、振動や回転をすることによって、周囲の他の成分もそのエネルギーが伝わることで加熱調理される。
【０００４】
加熱された水の一部は蒸気となって膨張し、包装容器である電子レンジ用包装袋を内部から押し広げる力となり、内部圧力が上昇し、丸く膨んでくる。もし、そのまま包装袋内部の圧力が上昇し、内部の水分が沸騰するようなことになると、包装袋は爆発し高温になった内容物が飛び散るおそれがある。
【０００５】
そこで、このような事が起きないように電子レンジ用包装袋には蒸気抜き機能が設けられている。しかし、もし、この蒸気抜き機能部の内側に高温になった内容物があった場合、高温の内容物が包装袋から飛び散るおそれがあった。さらに、高周波加熱が終了し、取り出そうとした時に、高温になっているので、包装袋を触ると熱いという問題あった。
【０００６】
このようなことが起きないように、この電子レンジ用包装袋を紙箱に入れて、そのまま電子レンジで加熱できるようにすれば、より安全であり、電子レンジ内へ置く場合にも、はっきり表記し易いなどのメリットもある。特に、紙箱の断熱性により、取り出す時に熱くないというメリットもある。
【０００７】
このような紙箱に入れたまま電子レンジによる加熱を行えるものについて、例えば、特許文献１では、電子レンジ用包装箱の天面に帯状の開封用ジッパーが設けられており、ジッパーから開封し、箱の上部側を裏面側に折り曲げることで枕にし、加熱時に内容物が蒸気抜き部に接しないようにしたものである。しかし、消費者がこのような煩雑な作業を行うのは煩わしい。
【０００８】
また、特許文献２では、電子レンジで加熱を行った時に天面に設けた開封部分が自動で開封する自動開封機能付き電子レンジ用箱入り包装袋が提案されている。
【０００９】
この電子レンジ用箱入り包装袋は、単純に箱の向きを確認して電子レンジに入れ、加熱できるので、手間は無く調理可能である。また、蒸気抜き部が開封部に向かって突出するようになっているので、加熱すると蒸気抜き部が自然と持ち上がる構造になっている為、蒸気抜き部に内容物が接するおそれがない。
【００１０】
しかし、蒸気抜き部が側部にあるような構造のパウチを用いた場合には、加熱時に内容物が蒸気抜き部に接してしまうおそれがあり、パウチの構造が特許文献２で示すような特殊な構造のパウチに限られてしまう。
【先行技術文献】
【特許文献】
【００１１】
【特許文献１】特許第４１８６７２６号公報
【特許文献２】特許第５０６２４０９号公報
【発明の概要】
【発明が解決しようとする課題】
【００１２】
本発明は上記のような事情に鑑みてなされたもので、電子レンジで加熱する前に煩雑な作業をする必要がなく、電子レンジ用包装袋を収納したまま電子レンジ加熱しても、内容物が噴出してしまう恐れがなく、電子レンジから取り出すときに火傷する恐れのない外装箱とその包装体を提供することを課題としている。
【課題を解決するための手段】
【００１３】
本発明は係る課題に鑑みなされたものであり、請求項１の発明は、加熱により発生した蒸気による内圧を逃がすための蒸気抜き機能を備えた電子レンジ用包装袋を、収納したまま電子レンジ加熱する外装箱と、前記電子レンジ用包装袋とからなる包装体であって、
前記外装箱は、加熱するとき下になる背面を、上になる正面より短くして、前記背面と前記正面とをつなぐ天面を傾斜させており、
前記電子レンジ用包装袋は、被加熱物が充填され、上部に蒸気抜き機能部が設けられ、該蒸気抜き機能部が、傾斜させた前記天面に位置するように収納されていることを特徴とする包装体である。
【００１４】
本発明の請求項２の発明は、前記外装箱の、前記正面と前記天面とがなす角度が１５°以上、４５°以下であることを特徴とする請求項１記載の包装体である。
【発明の効果】
【００１５】
本発明の外装箱とその包装体は、電子レンジで加熱する前に煩雑な作業をする必要がなく、電子レンジ用包装袋を収納したまま電子レンジ加熱しても、内容物が噴出してしまう恐れがなく、電子レンジから取り出すときに火傷の恐れがない。
【図面の簡単な説明】
【００１６】
【図１】本発明の包装体の一例を模式的に断面で示した説明図である。
【図２】本発明の包装体の一例に用いた外装箱のブランクを模式的に示した説明図である。
【図３】本発明の包装体の一例に用いた外装箱の左側面を模式的に示した説明図である。
【図４】本発明の包装体の一例に用いた電子レンジ用包装袋を模式的に正面で示した説明図である。
【図５】比較例３の包装体の外装箱を模式的に斜視で示した説明図である。
【発明を実施するための形態】
【００１７】
以下、本発明を実施するための形態につき説明する。
図１は、本発明の包装体の一例を模式的に断面で示した説明図である。
【００１８】
本例の包装体１００は、図１の断面図に示すように、外装箱１と、外装箱に収納された電子レンジ用包装袋２からなっている。電子レンジ用包装袋２には、電子レンジで加熱して食べる被加熱物３が充填され、電子レンジ用包装袋２の上部（図の左寄り）に蒸気抜き機能部が設けられている。図１は、加熱の途中の状態で、食品から蒸気が発生し、ヘッドスペース４が膨らんでいる。
【００１９】
外装箱１は、電子レンジで加熱するとき下になる背面が、上になる正面より短くなっていて、背面を下にして置くと、外装箱１の天面が背面側から上に向かって傾斜するようになっている。このため、中に収納した電子レンジ用包装袋２の蒸気抜き機能部が上に持ち上げられている。
【００２０】
この様になっているので、更に電子レンジでの加熱を続けて行くと、外装箱１が膨らむくらい電子レンジ用包装袋２が膨らみ、やがて、蒸気抜き機能により、中の蒸気が外部に逃げて、破裂や中の被加熱物３の噴出が起こることがない。そして、電子レンジで加熱する前に煩雑な作業をする必要がなく、電子レンジ用包装袋２を外装箱１に収納したまま電子レンジで加熱することができる。
【００２１】
以下、外装箱１について、説明する。
図２は、本発明の包装体の一例に用いた外装箱のブランクを模式的に示した説明図、図３は、本発明の包装体の一例に用いた外装箱の左側面を模式的に示した説明図である。
【００２２】
外装箱１は、図２に示すブランク１０１を折罫（一点鎖線で示す）で折って、必要に応じて貼着して製函する。ブランク１０１は、背面板１１１と正面板１１２が、左側面板１１３を介して連設され、背面板１１１の左側には、側面貼着板１１４が設けられ、正面板１１２の右側には右側面板１１５が設けられている。
【００２３】
背面板１１１の上下には、天面貼着板１１６と底面貼着板１１７が設けられている。正面板１１２の上下には、天面板１１８と底面板１１９が設けられている。また、左側面板１１３と右側面板１１５の上端縁は斜めになっていて、その上に、三角形の折込片１２０、１２１が連設されている。また、左側面板１１３と右側面板１１５の上端縁にはそれぞれ、フラップ１２２、１２３が設けられている。
【００２４】
このブランク１０１を用いて、電子レンジ用包装袋２を収納した外装箱１を製函するには、まず、側面貼着板１１４のおもて面に接着剤を塗布し、右側面板１１５の裏面に貼着して、筒状にする。
【００２５】
次に、左側面板１１３と折込片１２０の間の折罫を折って、折込片１２０を内方に折り曲げ、また、右側面板１１５と折込片１２１の間の折罫を折って、折込片１２１を内方に折り曲げる。
【００２６】
そして、折込片１２０、１２１のおもて面に接着剤を塗布し、天面貼着板１１６の裏面を折込片１２０、１２１のおもて面に貼着する。更に、天面貼着板１１６のおもて面に天面板１１８の裏面を貼着させる。
【００２７】
また、天面貼着板１１６を先に折って倒しておいて、天面貼着板１１６のおもて面に折込片１２０、１２１の裏面を貼着させ、次に天面板１１８を倒して、天面貼着板１１６や折込片１２０、１２１のおもて面に天面板１１８の裏面を貼着してもよい。
【００２８】
そして、口が開いている底面貼着板１１７、底面板１１９の方から被加熱物が充填された電子レンジ用包装袋２を挿入し、収納させる。このとき、電子レンジ用包装袋２の電子レンジ用包装袋２の蒸気抜き機能部を奥のほうになるように入れ、外装箱１を背面板１１１が下になるように置いたとき、蒸気抜き機能部が傾斜した天面貼着板１１６の上になるようにする。
【００２９】
フラップ１２２、１２３を内方に倒し、底面貼着板１１７も内方に倒し、そして、底面板１１９を倒して、底面貼着板１１７のおもて面に底面板１１９の裏面を貼着し、外装箱
１を封緘する。これによって、被加熱物が充填された電子レンジ用包装袋２を収納した外装箱１が製函され、包装体１００が製造される。
【００３０】
図３の左側面図に示す、正面板１１２と天面板１１８とがなす角度θは、鋭角であることが好ましい。更には、１５°以上、４５°以下であることが望ましい。角度θが４５°より大きいと、電子レンジ用包装袋２の蒸気抜き機能部が下にさがってしまい、内容物が蒸気抜き機能部に近づいてしまうため、加熱時に噴出してしまう恐れがある。また、１５°より小さいと、電子レンジ用包装袋２が外装箱１の奥まで入らないとか全然入らないとかの問題が起こる。
【００３１】
この包装体１００を電子レンジで加熱調理するには、このまま、底面板１１９を下にして、電子レンジ内に設置して加熱調理することができる。底面板１１９を下にして置くと、外装箱１に収納した電子レンジ用包装袋２の蒸気抜き機能部は、傾斜した天面板１１８により上に上げられ、蒸気が抜けるときに内容物の被加熱物が噴出すことがない。そのため外装箱１自体は、火傷するほど熱くなることはなく、電子レンジから容易に取り出すことができる。
【００３２】
外装箱１に用いられる紙は、内容物の重量によって異なるが、通常、坪量１２０ｇ／ｍ２から４００ｇ／ｍ２のコートボール紙やカード紙が好ましく用いられる。また、紙の密度は０．６〜１．１ｇ／ｃｍ３の範囲が好ましい。内面あるいは内外面をポリエチレンなどの樹脂でコートしたものでも良い。
【００３３】
製函時に使用する接着剤には、酢酸ビニル・アクリル共重合系、エチレンビニルアルコール系などエマルジョン系接着剤を使用することができる。このようなものには、日栄加工株式会社製のライフボンド（商標登録）ＡＶ−６５０Ｙ４やＡＶ−６５０Ｙ６、あるいは、サイデン化学株式会社製のサイビノール（商標登録）ＤＢＡ１５５ＬやＤＢＡ１６４などがある。
【００３４】
以下、電子レンジ用包装袋２について、説明する。
図４は、本発明の包装体の一例に用いた電子レンジ用包装袋を模式的に正面で示した説明図である。
【００３５】
電子レンジ用包装袋２は、図４に示すように、左右のサイドシール部２０１、２０２と、天シール部２０３を設けた変形４方シール袋である。尚、地シール部を設ける部分は、内容物の被加熱物を充填する充填口２０４として未シールになっている。そして、本例の電子レンジ用包装袋２では、包装袋の上部、天シール部２０３寄りに、右サイドシール２０２を内方に湾曲させた蒸気抜き機能部２０５が設けられている。
【００３６】
このようになっているので、電子レンジで加熱していくと、蒸気の発生などによる内圧の上昇により、電子レンジ用包装袋２が膨らんで、この湾曲させたシール部が内側端部から剥離していき、やがてこの部分でシール部が剥離して、電子レンジ用包装袋２の蒸気の発生で膨らんだヘッドスペース４が外部と連通し、蒸気を外に逃し、電子レンジ用包装袋２の破裂を防止する。また、この外部との連通は部分的な連通であるので、連通後も内容物を蒸す効果がある。
【００３７】
天シール部２０３に更に寄った左右のサイドシール部２０１、２０２には、加熱調理後、内容物を取り出す開口部を開けるために、ノッチ２０６、２０６が設けられている。
【００３８】
本例では、蒸気抜き機能部を内方に湾曲したサイドシール部として設けたが、これに限ることなく、サイドシール部あるいは天シール部より連続したシール部で未シール部を囲
んで設け、未シール部に外気と連通する貫通孔を設けて、連続したシール部が剥離して、外気と連通するようにした蒸気抜き機能部としてもよい。また、サイドシール部や天シール部から離れた環状のシール部を設けて、同様に未シール部や貫通孔を設けて蒸気抜き機能部としてもよい。
【００３９】
更には、イージーピールフィルムを天シール部に挟んで設けたり、あるいは、天シール部に平行に設けたシール部にイージーピールフィルムを挟んで、天シール部と平行に設けたシール部の間に貫通孔を設けたりして、蒸気抜き機能部としてもよい。要は発生した蒸気が逃げる蒸気抜き機能部を袋の上部、天シール部に、あるいは、天シール部に近い側に設ければよい。
【００４０】
電子レンジ用包装袋２に用いる包装材料は、基材層とシーラント層が積層された積層フィルムを用いることが好ましい。基材層としては、ポリエステル系樹脂やナイロン系樹脂などの２軸延伸フィルムが好ましく用いられる。
【００４１】
また、バリア性を必要とする場合は、バリア性のあるエチレンビニルアルコール共重合体やＭＸＤ６ナイロンなどのフィルムを用いることができる。また、シリカやアルミナなどを蒸着した無機酸化物蒸着フィルムを用いることもできる。無機酸化物蒸着フィルムの蒸着基材フィルムとしては、上述のフィルムを用いることができる。また、これらを組み合わせて積層し、多層の基材層としてもよい。
【００４２】
シーラント層としては、ポリエチレン系樹脂やポリプロピレンのフィルムが好ましく用いられる。また、イージーピールシーラントフィルムを、部分的に、あるいは、全面に用いることもできる。
【実施例】
【００４３】
以下に、本発明の具体的実施例について説明する。
【００４４】
＜実施例１＞
電子レンジ用包装袋２として、アルミナ蒸着ポリエチレンテレフタレートフィルム１２μｍの裏面の蒸着面側にウレタン系２液硬化型インキで印刷層を設け、印刷層の面側に２軸延伸６ナイロンフィルム１５μｍと未延伸ポリプロピレンフィルム６０μｍを順次、ウレタン系２液硬化型接着剤を用いてドライラミネートにより積層し、電子レンジ用包装袋の包装材料を作成した。
【００４５】
この包装材料を用いて、図４のような右サイドシール部２０２に蒸気抜き機能部２０５を設けた電子レンジ用包装袋２を作成し、充填口２０４から水１８０ｍｌを充填し、充填口をシールし、地シール部を設けて密封した。
【００４６】
外装箱１として、坪量３２０ｇ／ｍ２のコートボール紙を用いて、図２に示すようなブランク１０１を作成して、正面板１１２と天面板１１８とがなす角度θが１５°となるようにして外装箱１を製函した。そして、被加熱物３の水を充填し密封した先の電子レンジ用包装袋２を、蒸気抜き機能部２０５が外装箱１の傾斜した天面板１２０の上になるように挿入して封緘し、図１のような、電子レンジ用包装袋２が収納された外装箱１を作成し、実施例１の包装体を作成した。
【００４７】
＜実施例２＞
正面板１１２と天面板１１８とがなす角度θが３０°となるようにして外装箱１を製函した以外は、実施例１と同様にして実施例２の包装体を作成した。
【００４８】
＜実施例３＞
正面板１１２と天面板１１８とがなす角度θが４５°となるようにして外装箱１を製函した以外は、実施例１と同様にして実施例３の包装体を作成した。
【００４９】
以下に、本発明の比較例について説明する。
【００５０】
＜比較例１＞
正面板１１２と天面板１１８とがなす角度θが５０°となるようにして外装箱１を製函した以外は、実施例１と同様にして比較例１の包装体を作成した。
【００５１】
＜比較例２＞
正面板１１２と天面板１１８とがなす角度θが１０°となるようにして外装箱１を製函した以外は、実施例１と同様にして比較例２の包装体を作成した。
【００５２】
＜比較例３＞
外装箱として、特許文献１に記載の形状の包装紙箱を用いた。すなわち、図５に示す、上面板１３１の上方には切れ目線ａを二本平行に設けて形成された横方向の帯状の開封機構１３２が、上面板１３１の両端縁に連設されている二つの側面板１３３、１３３から連続して設けられ、上面板１３１と対向する下面板には帯状の開封機構１３２の下側の切れ目線ａと同一線上に切れ目線と連続して横方向の破断線が設けられている包装紙箱１０である。
【００５３】
尚、包装紙箱１０には実施例１と同じ坪量３２０ｇ／ｍ２のコートボール紙を使用した。そして、この包装紙箱１０を外装箱として用いた以外は、実施例１と同様にして、比較例３の包装体を作成した。
【００５４】
＜比較例４＞
外装袋として、正面板１１２と背面板１１１が略同寸で、正面板１１２と天面板１１８とがなす角度θが９０°の外装箱を用いた以外は、実施例１と同様にして比較例４の包装体を作成した。
【００５５】
＜試験方法＞
実施例と比較例の包装体を下記の方法で試験し、比較評価した。
【００５６】
＜簡便性＞
実施例１から実施例３と、比較例１と比較例４の包装体はそのまま電子レンジ内に背面板１１１を下にして設置した。
【００５７】
比較例３の包装体を電子レンジに掛ける前に、図５の帯状の開封機構１３２を切り取り、開封機構１３２より上の部分を、下面板１３５の横方向の破断線で外側に折り返し、包装袋の上部を露出させた状態で、電子レンジ内に折り返した上の部分を下にして設置した。
【００５８】
比較例２の正面板１１２と天面板１１８とがなす角度θが１０°の包装体は、外装箱１に電子レンジ用包装袋２を収納させることが出来ず、試験を行わなかった。
【００５９】
電子レンジに設置するまでの作業を比較し、簡単であった包装体を○とし、面倒であった包装体を×とし、簡単ではないが面倒でもない包装体を△として評価し、その結果を表１にまとめた。
【００６０】
＜内容物の噴出＞
簡便性評価で、電子レンジ内に設置した包装体をそのまま、電子レンジで加熱調理し、被加熱物の代わりの内容物の水が、噴出したか否かを評価した。
【００６１】
電子レンジは６００Ｗのものを使用し、１分４０秒の加熱を行った。
内容物の水が噴出していなかった包装体を○とし、噴出していた包装体を×として評価し、その結果を表１にまとめた。
【００６２】
【表１】
0006500416.tif 000002
【００６３】
以下に、実施例と比較例との比較結果について説明する。
【００６４】
＜比較結果＞
実施例１から３の包装体は、電子レンジに設置するまでの作業が特になく簡単であり、また、電子レンジで過剰に加熱した場合の内容物の噴出もなく、総合評価でも良好であった。
【００６５】
比較例１の包装体は、実施例１から３と同様に、電子レンジに設置するまでの作業が特になく簡単であったが、電子レンジで過剰に加熱したとき、内容物が噴出してしまい、決定的な機能的欠陥であり、総合評価で×となった。
【００６６】
比較例２の包装体は、外装箱１に電子レンジ用包装袋２を収納させることが出来ず、試験自体ができない。このため、総合評価を×とした。
【００６７】
比較例３の包装体は、電子レンジに設置するまでの作業の簡便性は、簡単ではないが面倒というほどではなく、電子レンジで過剰に加熱した場合の内容物の噴出もなく、総合評価で△になった。
【００６８】
比較例４の包装体は、電子レンジに設置するまでの作業が不要で、簡便性は一応、○となったが、電子レンジで過剰に加熱したとき、内容物が噴出してしまい、決定的な機能的欠陥であり、総合評価で×となった。
【００６９】
尚、加熱後の電子レンジからの取り出しでは、いずれも紙箱に入っているので、火傷するほど熱くはなかった。
【符号の説明】
【００７０】
１００・・・包装体
１・・・外装箱
２・・・電子レンジ用包装袋
３・・・被加熱物
４・・・ヘッドスペース
５・・・枕部
１０１・・・ブランク
１１１・・・背面板
１１２・・・正面板
１１３・・・左側面板
１１４・・・側面貼着板
１１５・・・右側面板
１１６・・・天面貼着板
１１７・・・底面貼着板
１１８・・・天面板
１１９・・・底面板
１２０、１２１・・・折込片
１２２、１２３・・・フラップ
２０１・・・左サイドシール部
２０２・・・右サイドシール部
２０３・・・天シール部
２０４・・・充填口
２０５・・・蒸気抜き機能部
２０６・・・ノッチ
１０・・・包装紙箱
１３１・・・上面板
１３２・・・開封機構
１３３・・・側面板
ａ・・・切れ目線
【図１】
0006500416.tif 000003
【図２】
0006500416.tif 000004
【図３】
0006500416.tif 000005
【図４】
0006500416.tif 000006
【図５】
0006500416.tif 000007